(57)【要約】【課題】３脚または４脚方式であって、抵抗器と温度ヒューズとの直列接続体としてのみならず、抵抗器単独、温度ヒューズ単独としても機能させ得、しかも支持安定性、動作迅速性に優れた温度ヒューズ付き抵抗器を提供する。【解決手段】温度ヒューズ３０の一方のリード導体３ｂが第１抵抗器２１の一方のキャップ状電極２１ｂの端面に接合され、温度ヒューズ３０の他方のリード導体３ａが第２抵抗器２２の一方のキャップ状電極２２ａの端面に接合され、第１抵抗器２１の他方のキャップ状電極２１ａの端面に脚導体Ａが、第２抵抗器２２の他方のキャップ状電極２２ｂの端面に脚導体Ｂが、両抵抗器２１、２２の一方または双方の一方のキャップ状電極２１ｂまたは２２ａの端面に脚導体Ｃがそれぞれ接合され、これらの脚導体が外被体１の下面側に突出されている。【選択図】図１−１
2010061894.tif 000002
【特許請求の範囲】
【請求項１】
両端にキャップ状電極を有する第１抵抗器及び第２抵抗器と、一対のリード導体を有する温度ヒューズとが絶縁外被体内に互いに並行で両抵抗器間に温度ヒューズが挟まれて配設され、温度ヒューズの一方のリード導体が第１抵抗器の一方のキャップ状電極端面に接合され、温度ヒューズの他方のリード導体が第２抵抗器の一方のキャップ状電極端面に接合され、第１抵抗器の他方のキャップ状電極端面に脚導体Ａが、第２抵抗器の他方のキャップ状電極端面に脚導体Ｂが、両抵抗器の一方または双方の一方のキャップ状電極端面に脚導体Ｃがそれぞれ接合され、これらの脚導体が外被体の下面側に突出されていることを特徴とする温度ヒューズ付き抵抗器。
【請求項２】
温度ヒューズのリード導体と抵抗器のキャップ状電極端面との接合が、側面接触での溶接により行われていることを特徴とする請求項１記載の温度ヒューズ付き抵抗器。
【請求項３】
抵抗器のキャップ状電極端面と脚導体との接合が、側面接触での溶接により行われていることを特徴とする請求項１または２記載の温度ヒューズ付き抵抗器。
【請求項４】
脚導体に実装基板の穴に嵌合される突起又は、はんだに係止される屈曲部若しくは凹凸部が設けられていることを特徴とする請求項１〜３何れか記載の温度ヒューズ付き抵抗器。
【請求項５】
絶縁外被体が絶縁封止材充填の下側開放の扁平ケースであり、絶縁封止材露出下面から各脚導体が突出されていることを特徴とする請求項１〜４何れか記載の温度ヒューズ付き抵抗器。
【請求項６】
温度ヒューズがラジアル型とされ、該温度ヒューズの対称軸の向きが両抵抗器の長さ方向に直角な方向に向くように温度ヒューズが配置されていることを特徴とする請求項１〜５何れか記載の温度ヒューズ付き抵抗器。
【請求項７】
温度ヒューズがアキシャル型とされ、該温度ヒューズの一方のリード導体が第１抵抗器の一方のキャップ状電極に接合され、温度ヒューズの他方のリード導体が折り返されて前記一方のキャップ状電極と同じ側の第２抵抗器キャップ状電極に接合され、該キャップ状電極に脚導体Ｃが接合されていることを特徴とする請求項１〜５何れか記載の温度ヒューズ付き抵抗器。
【請求項８】
温度ヒューズがラジアル型とされ、温度ヒューズの封止部を温度ヒューズのケースよりも抵抗器のキャップ状電極に近く位置させるように温度ヒューズが配置されていることを特徴とする請求項１〜５何れか記載の温度ヒューズ付き抵抗器。
【請求項９】
脚導体Ｃが温度ヒューズのリード導体と連続一体とされていることを特徴とする請求項１〜８何れか記載の温度ヒューズ付き抵抗器。
【発明の詳細な説明】
【技術分野】
【０００１】
本発明は温度ヒューズ付き抵抗器に関するものである。
【背景技術】
【０００２】
温度ヒューズ付き抵抗器は、抵抗器と温度ヒューズとを直列に接続すると共に両者を近接配設した構成であり、過電流により抵抗器が許容温度にまで昇温されると、温度ヒューズの作動により通電が遮断されて火災等の事故発生が未然に防止される。
図５は、従来の温度ヒューズ付き抵抗器を示し（特許文献１）、図５の（イ）は縦断面図を、図５の（ロ）は図５の（イ）におけるロ−ロ断面図をそれぞれ示している。
【特許文献１】実開昭４８−１０５０３８号公報
【０００３】
図５において、１’は一側面開放のセラミックスケースである。２’は抵抗器、３’は温度ヒューズであり、抵抗器一端のリード導体２ａ’と温度ヒューズ一端のリード導体３ａ’とを接続したうえでこれらをケース１’内に収容し、抵抗器他端のリード導体２ｂ’及び温度ヒューズ他端のリード導体３ｂ’をケース下方周壁のスリットから並行に導出している。１０’はケース１’内に充填した耐熱性封止材である。
電子機器の回路は、所定の回路基板に回路素子を搭載することにより組み立てられ、温度ヒューズ付き抵抗器もその回路素子の一つとして回路基板に実装されることがあ。
【発明の開示】
【発明が解決しようとする課題】
【０００４】
従来の温度ヒューズ付き抵抗器は、二脚方式であり、安定な実装支持状態を確保し難く、振動に対し問題がある。
従来の温度ヒューズ付き抵抗器は、２端子であり、抵抗器と温度ヒューズとの直列接続体のみの回路要素として使用し得るだけであり、温度ヒューズ単独または抵抗器単独あるいは異なる抵抗値の抵抗器・温度ヒューズ直列接続体として使用することは望めない。
【０００５】
本発明の目的は、３脚または４脚方式であって、抵抗器と温度ヒューズとの直列接続体としてのみならず、抵抗器単独、温度ヒューズ単独あるいは異なる抵抗値の抵抗器・温度ヒューズ直列接続体としても使用でき、しかも支持安定性、動作迅速性に優れた温度ヒューズ付き抵抗器を提供することにある。
【課題を解決するための手段】
【０００６】
請求項１に係る温度ヒューズ付き抵抗器は、両端にキャップ状電極を有する第１抵抗器及び第２抵抗器と、一対のリード導体を有する温度ヒューズとが絶縁外被体内に互いに並行にで両抵抗器間に温度ヒューズが挟まれて配設され、温度ヒューズの一方のリード導体が第１抵抗器の一方のキャップ状電極端面に接合され、温度ヒューズの他方のリード導体が第２抵抗器の一方のキャップ状電極端面に接合され、第１抵抗器の他方のキャップ状電極端面に脚導体Ａが、第２抵抗器の他方のキャップ状電極端面に脚導体Ｂが、両抵抗器の一方または双方の一方のキャップ状電極端面に脚導体Ｃがそれぞれ接合され、これらの脚導体が外被体の下面側に突出されていることを特徴とする。
請求項２に係る温度ヒューズ付き抵抗器は、請求項１の温度ヒューズ付き抵抗器において、温度ヒューズのリード導体と抵抗器のキャップ状電極端面との接合が、側面接触での溶接により行われていることを特徴とする。
請求項３に係る温度ヒューズ付き抵抗器は、請求項１または２の温度ヒューズ付き抵抗器において、抵抗器のキャップ状電極端面と脚導体とのの接合が、側面接触での溶接により行われていることを特徴とする。
請求項４に係る温度ヒューズ付き抵抗器は、請求項１〜３何れかの温度ヒューズ付き抵抗器において、脚導体に実装基板の穴に嵌合される突起又は、はんだに係止される屈曲部若しくは凹凸部が設けられていることを特徴とする。
請求項５に係る温度ヒューズ付き抵抗器は、請求項１〜４何れかの温度ヒューズ付き抵抗器において、絶縁外被体が絶縁封止材充填の下側開放の扁平ケースであり、絶縁封止材露出下面から各脚導体が突出されていることを特徴とする。
請求項６に係る温度ヒューズ付き抵抗器は、請求項１〜５何れかの温度ヒューズ付き抵抗器において、温度ヒューズがラジアル型とされ、該温度ヒューズの対称軸の向きが両抵抗器の長さ方向に直角な方向に向くように温度ヒューズが配置されていることを特徴とする。
請求項７に係る温度ヒューズ付き抵抗器は、請求項１〜５何れかの温度ヒューズ付き抵抗器において、温度ヒューズがアキシャル型とされ、該温度ヒューズの一方のリード導体が第１抵抗器の一方のキャップ状電極に接合され、温度ヒューズの他方のリード導体が折り返されて前記一方のキャップ状電極と同じ側の第２抵抗器キャップ状電極に接合され、該キャップ状電極に脚導体Ｃが接合されていることを特徴とする。
請求項８に係る温度ヒューズ付き抵抗器は、請求項１〜５何れかの温度ヒューズ付き抵抗器において、温度ヒューズがラジアル型とされ、温度ヒューズの封止部を温度ヒューズのケースよりも抵抗器のキャップ状電極に近く位置させるように温度ヒューズが配置されていることを特徴とする。
請求項９に係る温度ヒューズ付き抵抗器は、請求項１〜８何れかの温度ヒューズ付き抵抗器において、脚導体Ｃが温度ヒューズのリード導体と連続一体とされていることを特徴とする。
【発明の効果】
【０００７】
（１）本発明に係る温度ヒューズ付き抵抗器は、回路の入力端と出力端との途中に組み込んで使用され、回路に過電流が流れると第１抵抗器及び第２抵抗器が発熱し、その発生熱で温度ヒューズが溶断作動して回路の通電が遮断される。この場合、例えば、図１−１において、脚導体Ａ−Ｃ間に第１抵抗器２１の電圧変動が現れ、脚導体Ｃ−Ｂ間に温度ヒューズ３０と第２抵抗器２２との直列接続体の電圧変動が現れるように、抵抗器単独、別の抵抗器・温度ヒューズ直列接続体等の電圧変動も回路の駆動・制御に使用できる。
（２）脚導体の本数が３または４本であり、これらによる支点の抵抗器の長手方向に対する間隔が抵抗器の長さにほぼ等しく、また横方向に対する間隔が、並行抵抗器間に温度ヒューズが挾まれているために充分に広い。従って、２箇の抵抗器と１箇の温度ヒューズとの連結体を３点支持または４点支持により充分安定に支持できる。
（３）温度ヒューズが抵抗器間に挾まれているから、温度ヒューズが抵抗器の発生熱で迅速に加熱される。従って、抵抗器の発生熱の一部が脚導体Ｃを伝い漏洩して温度ヒューズのリード導体を経て温度ヒューズに伝達される抵抗器発生熱が減少されても、温度ヒューズの作動迅速性をよく保証できる。
（４）請求項５の温度ヒューズ付き抵抗器においては、特に、実装時はんだ付けの際、外被体が浮くのを防止できる。又は、実装後、はんだ付け部分の固定強度を上げることができる。
【発明を実施するための最良の形態】
【０００８】
図１−１の（イ）は本発明に係る温度ヒューズ付き抵抗器の一実施例を示す上面図、図１−１の（ロ）は同じく側面図、図１−１の（ハ）は同じく正面図であり、説明の便宜上、外被体を透視性として図示してある。
図１−１において、１は外被体、例えば絶縁封止材充填の下側開放の扁平ケースであり、絶縁封止材露出下面から後述するように各脚導体が突出されており、透明であると仮定して点線で示してある。
２１及び２２は外被体１内に所定の間隔を隔てて横に並行に配置された第１抵抗器及び第２抵抗器であり、セラミックス等の耐熱コアの両端にキャツプ状電極２１ａ，２１ｂ、２２ａ，２２ｂを装着し、コアにニッケル−クロム合金線、銅−ニッケル合金線、銅−マンガン−ニッケル合金線等の抵抗線を巻き付け、その巻き付け抵抗線の両端をコア両端の各キャツプ状電極２１ａ，２１ｂ、２２ａ，２２ｂの周面に溶接等により結着してある。
【０００９】
３は温度ヒューズであり、抵抗器２１，２２より短尺の本体部３０の両側にリード導体３ａ，３ｂを有しており、アキシャル型を用いることができる。例えば、一直線で対向させたリード導体間に低融点可溶合金片を溶接し、低融点可溶合金片にフラックスを塗布し、このフラックス塗布低融点可溶合金片上に耐熱絶縁筒を挿通し、耐熱絶縁筒の各端と各リード導体との間を封止材（例えば、エポキシ樹脂接着剤）で封止したものを使用できる。
この温度ヒューズ３の本体部３０が前記左右の第１抵抗器２１と第２抵抗器２２との間に抵抗器２１，２２と並行になる向きで挟まれて配設されている。
【００１０】
温度ヒューズ本体３０の一方のリード導体３ａが第２抵抗器のキャップ状電極２２ａの端面に直角に折り曲げのうえ側面接触で溶接され、温度ヒューズ本体３０のリード導体３ｂが第１抵抗器２１のキャップ状電極２１ｂの端面に直角に折り曲げのうえ側面接触で溶接されて第１抵抗器２１と第２抵抗器２２との間に温度ヒューズ３が直列に接続されている。第１抵抗器２１のキャップ状電極２１ａの端面には脚導体Ａが側面接触で溶接され、第２抵抗器２２のキャップ状電極２２ｂの端面には脚導体Ｂが側面接触で溶接され、第１抵抗器２１のキャップ状電極２１ｂの端面には脚導体Ｃが側面接触で溶接され、これらの脚導体Ａ、Ｂ、Ｃが外被体１の下面から突出されている。
【００１１】
第１抵抗器２１のキャップ状電極２１ｂの端面に溶接された脚導体Ｃと第２抵抗器２２のキャップ状電極２２ｂの端面に溶接された脚導体Ｂとの間隔ｄを広くするように、脚導体Ｃと第１抵抗器２１のキャップ状電極２１ｂとの溶接点を、その端面の中心より図１の（ハ）に示す−方向にずらし、脚導体Ｂと第２抵抗器２２のキャップ状電極２２ｂとの溶接点を、その端面の中心より図１の（ハ）に示す＋方向にずらしてある。また、脚導体Ａと脚導体Ｂとの間隔、脚導体Ａと脚導体Ｃとの間隔もほぼ抵抗器の長さとされており、充分に広くされている。
【００１２】
前記したように、第１抵抗器２１のキャップ状電極２１ｂの端面には、温度ヒューズ３０のリード導体３ｂが溶接され、更に脚導体Ｃが側面溶接されている。従って、脚導体Ａ、Ｂ、Ｃによる支点は、図１−１の（イ）における三角形ＡＢＣの３点であり、安定な支持を保証できる。
また、第１抵抗器２１の発生熱の一部が脚導体Ｃから基板側に漏洩するが、温度ヒューズ本体３０が第１抵抗器２１と第２抵抗器２２との間に挾まれていて両側から抵抗器発生熱で焙られるから、前記熱漏洩をよく補償して温度ヒューズ本体３０を両抵抗器２１、２２の発生熱で迅速に加熱できる。従って、良好な作動迅速性を保証できる。
【００１３】
前記図１−１に示す実施例において、第２抵抗器２２のキャップ状電極２２ａの端面にも脚導体Ｃを溶接することができる。この場合、４点支持となり、より一層安定な支持を達成できる。
前記図１−１に示す実施例において、温度ヒューズ３０のリード導体３ｂと脚導体Ｃ（４点支持の場合は、温度ヒューズ３０のリード導体３ａと図示されていない脚導体Ｃも含まれる）とを図１−２に示すように連続体とすることもできる。
前記図１−１に示す実施例においては、脚導体Ａ、Ｂ、Ｃを抵抗器のキャップ状電極２１ａ、２２ｂ、２１ｂの端面に側面接触で溶接しているが、金属直線を各キャップ状電極２１ａ、２２ｂ、２１ｂの端面に垂直に溶接し、根元近くを直角に折り曲げて各脚導体Ａ、Ｂ、Ｃを設けてもよい。
【００１４】
図２の（イ）は本発明に係る温度ヒューズ付き抵抗器の上記とは別の実施例を示す上面図、図２の（ロ）は同じく側面図、図２の（ハ）は同じく正面図であり、説明の便宜上、外被体を透視性として図示してある。
図２において、１は外被体、例えば絶縁封止材充填の下側開放の扁平ケースであり、絶縁封止材露出下面から後述するように各脚導体が突出されており、透明であると仮定して点線で示してある。
２１及び２２は外被体１内に所定の間隔を隔てて横に並行に配置された第１抵抗器及び第２抵抗器であり、セラミックス等の耐熱コアの両端にキャツプ状電極２１ａ，２１ｂ、２２ａ，２２ｂを装着し、コアにニッケル−クロム合金線、銅−ニッケル合金線、銅−マンガン−ニッケル合金線等の抵抗線を巻き付け、その巻き付け抵抗線の両端をコア両端の各キャツプ状電極２１ａ，２１ｂ、２２ａ，２２ｂの周面に溶接等により結着してある。
【００１５】
３は温度ヒューズであり、抵抗器２１，２２より短尺の本体部３０を有しており、リード導体３ａ、３ｂが平行に導出されたタイプ、所謂ラジアル型を用いることができる。例えば、並行配置の一対のリード導体の先端部間に低融点可溶合金片を溶接し、低融点可溶合金片にフラックスを塗布し、このフラックス塗布低融点可溶合金片を一端開口の耐熱扁平絶縁ケース内に収容し、扁平絶縁ケースの開口と並行リード導体との間を封止材（例えば、エポキシ樹脂接着剤）で封止したものを使用できる。
【００１６】
この温度ヒューズ３の本体部３０が封止部を上に向け前記左右の第１抵抗器２１と第２抵抗器２２との間に挟まれて配設されている。
温度ヒューズ本体３０の一方のリード導体３ａが封止部直上で第２抵抗器のキャップ状電極２２ａに向け曲げられ更に同キャップ状電極２２ａの端面に直角に折り曲げのうえ側面接触で溶接され、温度ヒューズ本体３０のリード導体３ｂが第１抵抗器２１のキャップ状電極２１ｂに向け曲げられ更に同キャップ状電極２１ｂの端面に直角に折り曲げのうえ側面接触で溶接されて第１抵抗器２１と第２抵抗器２２との間に温度ヒューズ３が直列に接続されている。第１抵抗器２１のキャップ状電極２１ａの端面には脚導体Ａが側面接触で溶接され、第２抵抗器２２のキャップ状電極２２ｂの端面には脚導体Ｂが側面接触で溶接され、第１抵抗器２１のキャップ状電極２１ｂの端面には脚導体Ｃが側面接触で溶接され、これらの脚導体Ａ、Ｂ、Ｃが外被体１の下面から突出されている。
第２抵抗器２２のキャップ状電極２２ｂの端面に溶接された脚導体Ｂと第１抵抗器２１のキャップ状電極２１ｂの端面に溶接された脚導体Ｃとの間隔ｄを広くするように、脚導体Ｃと第１抵抗器２１のキャップ状電極２１ｂとの溶接点を、その端面の中心より図２の（ハ）に示すように横外側にずらし、脚導体Ｂと第２抵抗器２２のキャップ状電極２２ｂとの溶接点を、その端面の中心より図２の（ハ）に示すように横外側にずらしてある。また、脚導体Ａと脚導体Ｂとの間隔、脚導体Ａと脚導体Ｃとの間隔もほぼ抵抗器の長さとされており、充分に広くされている。
【００１７】
前記したように、第１抵抗器２１のキャップ状電極２１ｂの端面には、温度ヒューズ３０のリード導体３ｂが溶接され、更に脚導体Ｃが側面溶接されている。従って、脚導体Ａ、Ｂ、Ｃによる支点は、図２の（イ）における三角形ＡＢＣの３点であり、安定な支持を保証できる。
また、第１抵抗器２１の発生熱の一部が脚導体Ｃから基板側に漏洩するが、温度ヒューズ本体３０が第１抵抗器２１と第２抵抗器２２との間に挾まれていて両側から抵抗器発生熱で焙られるから、前記熱漏洩をよく補償して温度ヒューズ本体３０を両抵抗器２１、２２の発生熱で迅速に加熱できる。従って、良好な作動迅速性を保証できる。
図２に示す実施例では、温度ヒューズがラジアル型とされ、該温度ヒューズの対称軸の向きが両抵抗器の長さ方向に直角な方向に向くように配置されているので図２の（ハ）から明らかなように、温度ヒューズ本体３０の封止部をケース部に較べて抵抗器外周面から遠く離すことができ、温度ヒューズの作動時、封止部のエポキシ樹脂が燻るのを防止するのに有効である。
【００１８】
前記図２に示す実施例において、第２抵抗器２２のキャップ状電極２２ａの端面にも脚導体Ｃを溶接してもよい。この場合、４点支持となり、より一層安定な支持を達成できる。
前記図２に示す実施例において、温度ヒューズ３０のリード導体３ｂと脚導体Ｃ（４点支持の場合は、温度ヒューズ３０のリード導体３ａと図示されていない脚導体Ｃも含まれる）とを連続体とすることもできる。
前記図２に示す実施例においては、脚導体Ａ、Ｂ、Ｃを抵抗器のキャップ状電極２１ａ、２２ｂ、２１ｂの端面に側面接触で溶接しているが、金属直線を各キャップ状電極２１ａ、２２ｂ、２１ｂの端面に垂直に溶接し、根元近くを直角に折り曲げて各脚導体Ａ、Ｂ、Ｃを設けてもよい。
【００１９】
図３の（イ）は本発明に係る温度ヒューズ付き抵抗器の上記とは別の実施例を示す上面図、図３の（ロ）は同じく側面図、図３の（ハ）は同じく正面図であり、説明の便宜上、外被体を透視性として図示してある。
図３において、１は外被体、例えば絶縁封止材充填の下側開放の扁平ケースであり、絶縁封止材露出下面から後述するように各脚導体が突出されており、透明であると仮定して点線で示してある。
２１及び２２は外被体１内に所定の間隔を隔てて横に並行に配置された第１抵抗器及び第２抵抗器であり、セラミックス等の耐熱コアの両端にキャツプ状電極２１ａ，２１ｂ、２２ａ，２２ｂを装着し、コアにニッケル−クロム合金線、銅−ニッケル合金線、銅−マンガン−ニッケル合金線等の抵抗線を巻き付け、その巻き付け抵抗線の両端をコア両端の各キャツプ状電極２１ａ，２１ｂ、２２ａ，２２ｂの周面に溶接等により結着してある。
【００２０】
３は温度ヒューズであり、抵抗器より短尺の本体部３０の両側にリード導体３ａ，３ｂを有しており、アキシャル型を用いることができる。例えば、一直線で対向させたリード導体間に低融点可溶合金片を溶接し、低融点可溶合金片にフラックスを塗布し、このフラックス塗布低融点可溶合金片上に耐熱絶縁筒を挿通し、耐熱絶縁筒の各端と各リード導体との間を封止材（例えば、エポキシ樹脂接着剤）で封止したものを使用できる。
【００２１】
この温度ヒューズ３の本体部３０が前記左右の第１抵抗器２１と第２抵抗器２２との間に抵抗器２１，２２と並行になる向きで配設されている。
温度ヒューズ本体３０のリード導体３ａが第２抵抗器２２のキャップ状電極２２ａの端面に直角に折り曲げのうえ側面接触で溶接され、温度ヒューズ本体３０のリード導体３ｂが折り返されて第１抵抗器のキャップ状電極２１ａの端面に直角に折り曲げのうえ側面接触で溶接されている。而して、第１抵抗器２１と第２抵抗器２２との間に温度ヒューズ３が直列に接続されている。第１抵抗器２１のキャップ状電極２１ｂの端面には脚導体Ａが側面接触で溶接され、第２抵抗器２２のキャップ状電極２２ｂの端面には脚導体Ｂが側面接触で溶接され、第１抵抗器２１のキャップ状電極２１ａの端面には脚導体Ｃが側面接触で溶接され、これらの脚導体Ａ、Ｂ、Ｃが外被体１の下面から突出されている。
第１抵抗器２１のキャップ状電極２１ｂの端面に溶接された脚導体Ａと第２抵抗器２２のキャップ状電極２２ｂの端面に溶接された脚導体Ｂとの間隔を広くしてある。
【００２２】
しかして、第１抵抗器２１のキャップ状電極２１ｂの端面と脚導体Ａとの溶接位置を同キャップ状電極端面外周の左側サイド（図示の−方向）に近付けるように横方向にずらせ、第２抵抗器２２のキャップ状電極２２ｂの端面と脚導体Ｂとの溶接位置を同キャップ状電極端面外周の右側サイド（図示の＋方向）に近付けるように横方向にずらせてある。
【００２３】
図３に示す実施例では、温度ヒューズ３がアキシャル型とされ、該温度ヒューズの一方のリード導体３ａが一方の抵抗器２２の一方のキャップ状電極２２ａに接合され、温度ヒューズの他方のリード導体３ｂが折り返されて前記一方のキャップ状電極２２ａと同じ側の他方抵抗器２１端キャップ状電極２１ａに接合され、該キャップ状電極２１ａに脚導体Ｃが接合されているので、脚導体Ｃの基板へのはんだ付け個所から温度ヒューズ本体３０のヒューズエレメントまでの熱伝導経路長を長くでき、はんだ付け熱からヒューズエレメントを良好にガードできる。
前記したように、第１抵抗器２１のキャップ状電極２１ａの端面には、温度ヒューズ３０のリード導体３ｂが溶接され、更に脚導体Ｃが側面溶接されている。従って、脚導体Ａ、Ｂ、Ｃによる支点は、図３の（イ）における三角形ＡＢＣの３点であり、安定な支持を保証できる。
また、第１抵抗器２１の発生熱の一部が脚導体Ｃから基板側に漏洩するが、温度ヒューズ本体３０が第１抵抗器２１と第２抵抗器２２との間に挾まれていて両側から抵抗器発生熱で焙られるから、前記熱漏洩をよく補償して温度ヒューズ本体３０を両抵抗器２１、２２の発生熱で迅速に加熱できる。従って、良好な作動迅速性を保証できる。
【００２４】
前記図３に示す実施例において、第２抵抗器２２のキャップ状電極２２ａの端面にも脚導体Ｃを溶接してもよい。この場合、４点支持となり、より一層安定な支持を達成できる。
前記図３に示す実施例において、温度ヒューズ３０のリード導体３ｂと脚導体Ｃ（４点支持の場合は、温度ヒューズ３０のリード導体３ａと図示されていない脚導体Ｃ）とを連続体とすることもできる。
前記図３に示す実施例においては、脚導体Ａ、Ｂ、Ｃを抵抗器のキャップ状電極２１ａ、２２ｂ、２１ｂの端面に側面接触で溶接しているが、金属直線を各キャップ状電極２１ａ、２２ｂ、２１ｂの端面に垂直に溶接し、根元近くを直角に折り曲げて各脚導体Ａ、Ｂ、Ｃを設けてもよい。
【００２５】
図４の（イ）は本発明に係る温度ヒューズ付き抵抗器の上記とは別の実施例を示す上面図、図４の（ロ）は同じく側面図、図４の（ハ）は同じく正面図であり、説明の便宜上、外被体を透視性として図示してある。
図４において、１は外被体、例えば絶縁封止材充填の下側開放の扁平ケースであり、絶縁封止材露出下面から後述するように各脚導体が突出されており、透明であると仮定して点線で示してある。
２１及び２２は外被体１内に所定の間隔を隔てて横に並行に配置された第１抵抗器及び第２抵抗器であり、セラミックス等の耐熱コアの両端にキャツプ状電極２１ａ，２１ｂ、２２ａ，２２ｂを装着し、コアにニッケル−クロム合金線、銅−ニッケル合金線、銅−マンガン−ニッケル合金線等の抵抗線を巻き付け、その巻き付け抵抗線の両端をコア両端の各キャツプ状電極２１ａ，２１ｂ、２２ａ，２２ｂの周面に溶接等により結着してある。
【００２６】
３は温度ヒューズであり、抵抗器２１，２２より短尺の本体部３０を有しており、リード導体３ａ、３ｂが平行に導出されたタイプ、所謂ラジアル型を用いることができる。例えば、並行配置の一対のリード導体の先端部間に低融点可溶合金片を溶接し、低融点可溶合金片にフラックスを塗布し、このフラックス塗布低融点可溶合金片を一端開口の耐熱扁平絶縁ケース内に収容し、扁平絶縁ケースの開口と並行リード導体との間を封止材（例えば、エポキシ樹脂接着剤）で封止したものを使用できる。
この温度ヒューズ３の本体部３０が前記左右の第１抵抗器２１と第２抵抗器２２との間に封止部を横に向けて抵抗器２１，２２と並行に配設されている。
温度ヒューズ本体３０のリード導体３ａが第２抵抗器２２のキャップ状電極２２ａの端面に直角に折り曲げのうえ側面接触で溶接され、温度ヒューズ本体３０のリード導体３ｂが第１抵抗器２１のキャップ状電極２１ａの端面に直角に折り曲げのうえ側面接触で溶接されている。而して、第１抵抗器２１と第２抵抗器２２との間に温度ヒューズ３が直列に接続されている。第１抵抗器２１のキャップ状電極２１ｂの端面には脚導体Ａが側面接触で溶接され、第２抵抗器２２のキャップ状電極２２ｂの端面には脚導体Ｂが側面接触で溶接され、第２抵抗器２２のキャップ状電極２２ａの端面には脚導体Ｃが側面接触で溶接され、これらの脚導体Ａ、Ｂ、Ｃが外被体１の下面から突出されている。
第１抵抗器２１のキャップ状電極２１ｂの端面に溶接された脚導体Ａと第２抵抗器２２のキャップ状電極２２ｂの端面に溶接された脚導体Ｂとは充分な横方向間隔でずらされている。
【００２７】
この横方向間隔を設定するために、第１抵抗器２１のキャップ状電極２１ｂの端面と脚導体Ａとの溶接位置を同キャップ状電極端面外周の左側サイドに近付けるように横方向にずらせ、第２抵抗器２２のキャップ状電極２２ｂの端面と脚導体Ｂとの溶接位置を同キャップ状電極端面外周の右側サイドに近付けるように横方向にずらせてある。
【００２８】
前記したように、第２抵抗器２２のキャップ状電極２２ａの端面には、温度ヒューズ３０のリード導体３ａが溶接され、更に脚導体Ｃが側面溶接されている。従って、脚導体Ａ、Ｂ、Ｃによる支点は、図３の（イ）における三角形ＡＢＣの３点であり、安定な支持を保証できる。
また、第２抵抗器２２の発生熱の一部が脚導体Ｃから基板側に漏洩するが、温度ヒューズ本体３０が第１抵抗器２１と第２抵抗器２２との間に挾まれていて両側から抵抗器発生熱で焙られるから、前記熱漏洩をよく補償して温度ヒューズ本体３０を両抵抗器２１、２２の発生熱で迅速に加熱できる。従って、良好な作動迅速性を保証できる。
前記脚導体Ｃからの熱漏洩のために、第２抵抗器２２の加熱温度はキャップ状電極２２ａ側が低くなる。しかるに、温度ヒューズ３０の封止部をキャップ状電極２２ａ側に臨ませているので、温度ヒューズの作動時、封止部のエポキシ樹脂が燻るのをよく防止できる。
【００２９】
前記図４に示す実施例において、第１抵抗器２１のキャップ状電極２１ａの端面にも脚導体Ｃを溶接してもよい。この場合、４点支持となり、より一層安定な支持を達成できる。
前記図４に示す実施例において、温度ヒューズ３０のリード導体３ａと脚導体Ｃ（４点支持の場合は、温度ヒューズ３０のリード導体３ｂと図示されていない脚導体Ｃ）とを連続体とすることもできる。
前記図４に示す実施例においては、脚導体Ａ、Ｂ、Ｃを抵抗器のキャップ状電極２２ａ、２２ｂ、２１ｂの端面に側面接触で溶接しているが、金属直線を各キャップ状電極２２ａ、２２ｂ、２１ｂの端面に垂直に溶接し、根元近くを直角に折り曲げて各脚導体Ａ、Ｂ、Ｃを設けてもよい。
【００３０】
図１〜図４に示した温度ヒューズ付き抵抗器においては、外被体１の長手方向と抵抗器２１，２２の長手方向とが一致しているから、従って外被体１の高さ方向に対し抵抗器２１，２２が横方向に向いているから、外被体１の高さを抵抗器２１，２２の長さに関係なく低くできる。従って、前述した実装はんだ付け箇所の破損をよく防止できる。
また、抵抗器が互いに並行な２個の抵抗器２１．２２で構成され、これらの抵抗器に温度ヒューズ本体３０が並行に配設されているから、熱源となる抵抗器２１，２２と温度ヒューズ本体３０間の距離を全体的に短くでき（２個の抵抗器が一本化されている場合に較べ）、温度ヒューズの作動速度をそれだけ迅速化できる。
更に、抵抗器のキャップ状電極とリード導体や脚導体との接合を、キャップ状電極端面への側面接触接合により行うことができ、垂直な植設接合の場合とは異なり、キャップ状電極端面でのリード導体や脚導体の納まり具合を良くでき、当該キャップ状電極端面に対する外被体絶縁材の被り厚みを薄くでき、外被体１の長さをそれだけ短縮できる。
【００３１】
本発明に係る温度ヒューズ付き抵抗器において、併設抵抗器の発熱温度は、長さ方向中央に至るほど高くなる。また、前記温度ヒューズにおいては、封止部がエポキシ樹脂などの合成樹脂で形成されているために、前記抵抗器の発生熱で発煙する惧れがある。従って、図４に示すように、温度ヒューズにラジアル型を使用し、温度ヒューズの封止部を温度ヒューズのケースよりも抵抗器のキャップ状電極に近く位置させることが好ましい。
【００３２】
前記外被体にケースタイプを使用する場合、ケース１内に封止材が充填される。この封止材には、無機質粉末に硬化性樹脂のバインダーを配合したものを使用できる。無機質粉末には、粉末状の石英、アルミナ、雲母、ジルコニア、二酸化チタン等を使用でき、バインダーにはシリコン樹脂を使用できる。無機質粉末料は９９〜９６重量％とされ、シリコン樹脂量は１〜４重量％とされる。
ケース内には、抵抗器や温度ヒューズ本体を位置決めするための仕切りを設けることもできる。
外被体には、耐熱樹脂をトランスファーモールド等によりモールドするケース無しのものも使用できる。
【００３３】
前記の抵抗器には、金属または炭素等の薄膜を円筒形や平面状の絶縁体上に形成したものを抵抗素子とする金属薄膜抵抗器または炭素皮膜抵抗器、炭素粉末等の抵抗材料にフエノール樹脂、ガラス等の粉末を混合して芯状に加圧成形したものを抵抗素子とするソリッド抵抗器等も使用できる。
【図面の簡単な説明】
【００３４】
【図１−１】本発明に係る温度ヒューズ付き抵抗器の一実施例を示す図面である。
【図１−２】本発明に係る温度ヒューズ付き抵抗器の上記とは別の実施例を示す図面である。
【図２】本発明に係る温度ヒューズ付き抵抗器の上記とは別の実施例を示す図面である。
【図３】本発明に係る温度ヒューズ付き抵抗器の上記とは別の実施例を示す図面である。
【図４】本発明に係る温度ヒューズ付き抵抗器の上記とは別の実施例を示す図面である。
【図５】従来の温度ヒューズ付き抵抗器を示す図面である。
【符号の説明】
【００３５】
１            外被体
２１          第１抵抗器
２２          第３抵抗器
２１ａ        キャップ状電極
２１ｂ        キャップ状電極
２２ａ        キャップ状電極
２２ｂ        キャップ状電極
３            温度ヒューズ
３０          温度ヒューズ本体
３ａ          温度ヒューズリード導体
３ｂ          温度ヒューズリード導体
Ａ            脚導体
Ｂ            脚導体
Ｃ            脚導体
【図１−１】
2010061894.tif 000003
【図１−２】
2010061894.tif 000004
【図２】
2010061894.tif 000005
【図３】
2010061894.tif 000006
【図４】
2010061894.tif 000007
【図５】
2010061894.tif 000008